(57)【要約】【課題】  グループ通話に関連する画面情報が表示される表示画面において編集及び情報付加を行うことが可能なＰｏＣ携帯端末を提供する。【解決手段】  携帯端末１はキー操作部１５のＰｕｓｈボタンが押下されると、マスタ側になる。携帯端末１はポインティングデバイス部１８によって出力される目印のポインタ情報を表示部１６に表示させる。携帯端末１はポインタ情報を無線部１４からＰｏＣサーバへ送信する。ＰｏＣサーバはグループ内の他のユーザの携帯端末に、携帯端末１からのポインタ情報を送付する。マスタ側である携帯端末１はもしも、ポインタが移動された場合、上記と同様の処理を繰り返し行う。【選択図】      図１
2006197041.tif 000002
【特許請求の範囲】
【請求項１】
トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムであって、
前記ＰｏＣ携帯端末は、前記話者権の獲得時に前記グループ内通話においてグループ内の端末上に表示される共通の画像データに目印を表示させる手段と、前記目印の情報を前記ＰｏＣサーバに通知する手段とを有し、
前記ＰｏＣサーバは、前記話者権を獲得した端末からの前記目印の情報を前記グループ内の他の端末に送付する手段を有することを特徴とするＰｏＣシステム。
【請求項２】
前記目印を表示させる手段は、ポインティングデバイスを使用するポインタ表示と、タッチパネルを使用する表示とのうちの少なくともいずれか一方を行うことを特徴とする請求項１記載のＰｏＣシステム。
【請求項３】
前記目印を表示させる手段は、外部からの音声と画面表示との共通言語を検索して検索言語の色のフォントを変更して表示を行うことを特徴とする請求項１または請求項２記載のＰｏＣシステム。
【請求項４】
前記ＰｏＣ携帯端末は、前記外部からの音声を文字列情報に変換する手段と、その変換された文字列情報を前記画面表示の文字列と比較する手段と、その比較で一致が検出された前記画面表示の文字列の色のフォントを変更する手段とを含むことを特徴とする請求項３記載のＰｏＣシステム。
【請求項５】
トランシーバと略同一のグループ内通話が可能で、かつＰｏＣ（Ｐｕｓｈ−ｔｏ−ｔａｌｋ  ｏｖｅｒ  Ｃｅｌｌｕｌａｒ）サーバが管理する前記グループ内通話の話者権を獲得して他の端末への送話を行うＰｏＣ携帯端末であって、
前記話者権の獲得時に前記グループ内通話においてグループ内の端末上に表示される共通の画像データに目印を表示させる手段と、前記目印の情報を前記ＰｏＣサーバに通知することで前記グループ内の他の端末に送付する手段とを有することを特徴とするＰｏＣ携帯端末。
【請求項６】
前記目印を表示させる手段は、ポインティングデバイスを使用するポインタ表示と、タッチパネルを使用する表示とのうちの少なくともいずれか一方を行うことを特徴とする請求項５記載のＰｏＣ携帯端末。
【請求項７】
前記目印を表示させる手段は、外部からの音声と画面表示との共通言語を検索して検索言語の色のフォントを変更して表示を行うことを特徴とする請求項５または請求項６記載のＰｏＣ携帯端末。
【請求項８】
前記外部からの音声を文字列情報に変換する手段と、その変換された文字列情報を前記画面表示の文字列と比較する手段と、その比較で一致が検出された前記画面表示の文字列の色のフォントを変更する手段とを含むことを特徴とする請求項７記載のＰｏＣ携帯端末。
【請求項９】
トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムに用いられるポインタ表示方法であって、
前記ＰｏＣ携帯端末が、前記話者権の獲得時に前記グループ内通話においてグループ内の端末上に表示される共通の画像データに目印を表示させる処理と、前記目印の情報を前記ＰｏＣサーバに通知することで前記グループ内の他の端末に送付する処理とを実行することを特徴とするポインタ表示方法。
【請求項１０】
前記目印を表示させる処理は、ポインティングデバイスを使用するポインタ表示と、タッチパネルを使用する表示とのうちの少なくともいずれか一方を行うことを特徴とする請求項９記載のポインタ表示方法。
【請求項１１】
前記目印を表示させる処理は、外部からの音声と画面表示との共通言語を検索して検索言語の色のフォントを変更して表示を行うことを特徴とする請求項９または請求項１０記載のポインタ表示方法。
【請求項１２】
前記ＰｏＣ携帯端末が、前記外部からの音声を文字列情報に変換する処理と、その変換された文字列情報を前記画面表示の文字列と比較する処理と、その比較で一致が検出された前記画面表示の文字列の色のフォントを変更する処理とを実行することを特徴とする請求項１１記載のポインタ表示方法。
【請求項１３】
トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムに用いられるポインタ表示方法のプログラムであって、コンピュータに、前記話者権の獲得時に前記グループ内通話においてグループ内の端末上に表示される共通の画像データに目印を表示させる処理と、前記目印の情報を前記ＰｏＣサーバに通知することで前記グループ内の他の端末に送付する処理とを実行させるためのプログラム。
【発明の詳細な説明】
【技術分野】
【０００１】
本発明はＰｏＣシステム、ＰｏＣ携帯端末及びそれらに用いるポインタ表示方法並びにそのプログラムに関し、特にＰｏＣ（Ｐｕｓｈ―ｔｏ―ｔａｌｋ  ｏｖｅｒ  Ｃｅｌｌｕｌ）携帯端末画面のポインタ表示方法に関する。
【背景技術】
【０００２】
この種のＰｏＣシステムでは、パケット網を用い、１対多人数の通話を行うことができる（例えば、特許文献１参照）。但し、二人以上が同時に話すことはできず、話かけたい人が現在話している人の話が終わるのを待ち、話者権をとってから話すことになる。
【０００３】
携帯端末におけるＰｏＣの使い方は、トランシーバの使用方法と似ている。発言者が専用キーを押下して継続状態にすることによって話者権を持ち、発言した音声データが他の携帯端末へと送られる。他の携帯端末では発言することができず、音声受信のみとなる。話者権保持者が専用キーを解放することによって、話者権が解放され、解放後、最初に専用キーが押下された携帯端末が話者権を獲得し、その携帯端末を通しての発言が可能となる。
【０００４】
ＰｏＣでの話者権はＰｏＣサーバによって管理され、ＰｏＣサーバはメンバの登録、メンバの「不在」や「在室」等の参加可否情報の把握（プレゼンス機能）、話者権の割当て（フロア制御）等を行っている。
【０００５】
上記のＰｏＣシステムに用いられるＰｏＣ携帯端末においては、ユーザがＰｏＣ携帯端末の画面上でグループ通話に関連する画面情報を見ながら、グループ通話をする方法がある。
【０００６】
【特許文献１】特表２００３−５２６２７５号公報
【発明の開示】
【発明が解決しようとする課題】
【０００７】
しかしながら、上述した従来のＰｏＣ携帯端末では、グループ通話をしながら、グループ通話に関連する画面情報が表示される表示画面に対して編集及び情報付加を行うことできないという問題がある。
【０００８】
そこで、本発明の目的は上記の問題点を解消し、グループ通話に関連する画面情報が表示される表示画面において編集及び情報付加を行うことができるＰｏＣシステム、ＰｏＣ携帯端末及びそれらに用いるポインタ表示方法並びにそのプログラムを提供することにある。
【課題を解決するための手段】
【０００９】
本発明によるＰｏＣシステムは、トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムであって、
前記ＰｏＣ携帯端末は、前記話者権の獲得時に前記グループ内通話においてグループ内の端末上に表示される共通の画像データに目印を表示させる手段と、前記目印の情報を前記ＰｏＣサーバに通知する手段とを備え、
前記ＰｏＣサーバは、前記話者権を獲得した端末からの前記目印の情報を前記グループ内の他の端末に送付する手段を備えている。
【００１０】
本発明によるＰｏＣ携帯端末は、トランシーバと略同一のグループ内通話が可能で、かつＰｏＣ（Ｐｕｓｈ−ｔｏ−ｔａｌｋ  ｏｖｅｒ  Ｃｅｌｌｕｌａｒ）サーバが管理する前記グループ内通話の話者権を獲得して他の端末への送話を行うＰｏＣ携帯端末であって、
前記話者権の獲得時に前記グループ内通話においてグループ内の端末上に表示される共通の画像データに目印を表示させる手段と、前記目印の情報を前記ＰｏＣサーバに通知することで前記グループ内の他の端末に送付する手段とを備えている。
【００１１】
本発明によるポインタ表示方法は、トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムに用いられるポインタ表示方法であって、
前記ＰｏＣ携帯端末が、前記話者権の獲得時に前記グループ内通話においてグループ内の端末上に表示される共通の画像データに目印を表示させる処理と、前記目印の情報を前記ＰｏＣサーバに通知することで前記グループ内の他の端末に送付する処理とを実行している。
【００１２】
本発明によるポインタ表示方法のプログラムは、トランシーバと略同一のグループ内通話が可能なＰｏＣ（Ｐｕｓｈ−ｔｏ−ｔａｌｋ  ｏｖｅｒ  Ｃｅｌｌｕｌａｒ）携帯端末と、前記ＰｏＣ携帯端末における話者権を管理するＰｏＣサーバとを含むＰｏＣシステムに用いられるポインタ表示方法のプログラムであって、コンピュータに、前記話者権の獲得時に前記グループ内通話においてグループ内の端末上に表示される共通の画像データに目印を表示させる処理と、前記目印の情報を前記ＰｏＣサーバに通知することで前記グループ内の他の端末に送付する処理とを実行させている。
【００１３】
すなわち、本発明のＰｏＣ携帯端末は、携帯端末間でトランシーバのようなグループ内通話が可能となるＰｏＣ（Ｐｕｓｈ−ｔｏ−ｔａｌｋ  ｏｖｅｒ  Ｃｅｌｌｕｌａｒ）携帯端末に関連するものである。
【００１４】
本発明のＰｏＣ携帯端末は、上記のグループ内通話中、グループ内の携帯端末上に表示される共通の画像データに、ＰｏＣボタンをプッシュ（Ｐｕｓｈ）した人（話者権を獲得した人）（マスタ側）が、目印であるポインタを付加することを可能としている。その付加した目印は、グループ内の携帯端末の画面表示内に反映される。
【００１５】
本発明によるポインタ表示方法では、ポインティングデバイスを使用するポインタ表示、タッチパネルを使用する表示、プッシュした人の音声と画面表示部との共通言語を検索して検索言語の色のフォントを変更する表示等の方法がある。
【００１６】
これを行うことによって、本発明によるポインタ表示方法では、プッシュした人以外のグループ内の携帯端末の所有者が、ポインタが付加された表示画面を見ることによって、マスタ側が、どこを説明しているのか、何を強調しているのか等、マスタ側の意思を容易に理解可能となる。したがって、本発明によるポインタ表示方法では、グループ通話に関連する画面情報が表示される表示画面において編集及び情報付加を行うことが可能となる。
【発明の効果】
【００１７】
本発明は、以下に述べるような構成及び動作とすることで、グループ通話に関連する画面情報が表示される表示画面において編集及び情報付加を行うことができるという効果が得られる。
【発明を実施するための最良の形態】
【００１８】
次に、本発明の実施の形態について図面を参照して説明する。図１は本発明の実施の形態によるＰｏＣ（Ｐｕｓｈ−ｔｏ−ｔａｌｋ  ｏｖｅｒ  Ｃｅｌｌｕｌａｒ）システムの構成を示すブロック図である。図１において、本発明の実施の形態によるＰｏＣシステムは、ユーザの携帯端末（ＭＳ＃１）１−１、同じグループ内の他の携帯端末（ＭＳ＃２）１−２、同じグループ内の別の携帯端末（ＭＳ＃３）１−３と、ＰｏＣサーバ２と、プレゼンスサーバ３と、ＧＬＭＳ（Ｇｒｏｕｐ  ａｎｄ  Ｌｉｓｔ  Ｍａｎａｇｅｍｅｎｔ  Ｓｅｒｖｅｒ）４とから構成されている。
【００１９】
ＰｏＣサーバ２は携帯端末１−１，１−２，１−３の音声データ及び画像データを管理し、携帯端末１−１，１−２，１−３それぞれの端末データを送受信する。プレゼンスサーバ３は携帯端末１−１のユーザ情報データベースであり、ＰｏＣサーバ２にユーザの情報を送信する。ＧＬＭＳ４は、同じグループ内の他の携帯端末１−２，１−３のユーザ情報データベースであり、ユーザ携帯端末１−１に対して同じグループ内のユーザ情報を送る。
【００２０】
本発明の実施の形態では、上記のグループ内の通話中、グループ内の携帯端末１−１〜１−３上に表示される共通の画像データに、ＰｏＣボタンをプッシュ（Ｐｕｓｈ）した人（話者権を獲得した人）（マスタ側）の携帯端末１−１が、目印であるポインタを付加することを可能としている。その付加した目印は、グループ内の携帯端末１−１〜１−３の画面表示内に反映される。
【００２１】
これによって、本発明の実施の形態では、プッシュした人以外のグループ内の携帯端末の所有者が、ポインタが付加された表示画面を見ることによって、マスタ側が、どこを説明しているのか、何を強調しているのか等、マスタ側の意思を容易に理解することができる。したがって、本発明の実施の形態では、グループ通話に関連する画面情報が表示される表示画面において編集及び情報付加を行うことができる。
【００２２】
尚、本発明の実施の形態では、ポインタの表示方法として、ポインティングデバイスを使用するポインタ表示、タッチパネルを使用する表示、プッシュした人の音声と画面表示部との共通言語を検索して検索言語の色のフォントを変更する表示等の方法がある。
【実施例１】
【００２３】
図２は本発明の一実施例による携帯端末の構成を示すブロック図である。図２において、本発明の一実施例によるＰｏＣシステムは、上記の図１に示す本発明の実施の形態によるＰｏＣシステムと同様の構成となっており、図２に示す携帯端末１は図１の携帯端末１−１〜１−３に該当する。
【００２４】
携帯端末１はＣＰＵ（Ｃｅｎｔｒａｌ  Ｐｒｏｃｅｓｓｉｎｇ  Ｕｎｉｔ：中央処理装置）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、無線部１４と、キー（Ｋｅｙ）操作部１５と、表示部１６と、音声部１７と、ポインティングデバイス部１８とから構成されている。
【００２５】
ＣＰＵ１１は携帯端末１の全体の演算処理機能を有し、ＲＯＭ１２はＣＰＵ１１の制御プログラムを格納する。ＲＡＭ１３はＣＰＵ１１の作業領域となる機能を有している。無線部１４は音声データ及び画像データ、目印情報データをＰｏＣサーバ２へ送信し、ＰｏＣサーバ２からの受信、ユーザ情報をプレゼンスサーバ３へ送信し、グループ情報をＧＬＭＳ６から受信する。
【００２６】
キー操作部１５はグループ内で通話時に使用するプッシュボタン（図示せず）を付加した機能を有している。表示部１６はグループ内で共通の画像及び目印となるポインタの情報を表示させる機能を有し、音声部１７はグループ内通話する際の音声データを処理する機能を有している。ポインティングデバイス部１８は、画面の目印を表示させる。ポインティングデバイス部１８としては、例えば、ニューロポインタがあるが、その詳細動作の説明については、周知事実として省略する。
【００２７】
図３（ａ），（ｂ）は図２の携帯端末１の外観を示す図であり、図４及び図５は図２の携帯端末１の表示画面を示す図であり、図６は本発明の一実施例によるＰｏＣシステムの動作を示すフローチャートである。これら図１〜図６を参照して本発明の一実施例によるＰｏＣシステムの動作について説明する。尚、図６に示す処理はＣＰＵ１１がＲＯＭ１２に格納されているプログラムを実行することで実現される。
【００２８】
図３（ａ）において、携帯端末１にはグループ通話時、話したい時に（マスタ側になるために）必要となるＰｕｓｈボタン１９と［図３（ａ）参照］、目印となるポインタを表示させるために必要となるニューロポインタボタン部２０とが設けられている［図３（ｂ）参照］。
【００２９】
最初のグループ通話の状態は、図４に示す画面表示２１になっているものとする。グループ内の通話中のユーザが、Ｐｕｓｈボタン１９を押下し、マスタ側になると、ニューロポインタボタン２０を押下することによって、図５に示すような目印となるポインタ部２２が入った表示画面２１に変換される。そのポインタ情報はＰｏＣサーバ２によって他のユーザにも送付されるので、他ユーザの携帯端末（図１の１−２，１−３）の画面表示も図５に示すような表示画面２１になる。
【００３０】
最初に、携帯端末１−１は画像データを無線部１４から受信すると、その画像データを表示部１６に表示させる（図６ステップＳ１）。続いて、携帯端末１−１はキー操作部１５のＰｕｓｈボタン１９が押下されると、マスタ側になる（図６ステップＳ２）。
【００３１】
さらに、携帯端末１−１はポインティングデバイス部１８によって出力される目印のポインタ情報を表示部１６に表示させる（図６ステップＳ３）。携帯端末１−１は上記のステップＳ３で得られたポインタ情報を無線部１４からＰｏＣサーバ２へ送信する（図６ステップＳ４）。
【００３２】
次に、ＰｏＣサーバ２はグループ内の他のユーザの携帯端末１−２，１−３に、携帯端末１−１からのポインタ情報を送付する（図６ステップＳ１１）。マスタ側である携帯端末１−１は、もしも、ポインタが移動された場合、上記のステップＳ３，Ｓ４の処理を繰り返し行う（図６ステップＳ５）。
【００３３】
このように、本実施例では、Ｐｕｓｈボタン１９をプッシュした人以外のグループ内の携帯端末１−２，１−３の所有者が、ポインタが付加された表示画面２１を見ることによって、マスタ側が、どこを説明しているのか、何を強調しているのか等、マスタ側の意思を容易に理解することができる。
【実施例２】
【００３４】
図７は本発明の他の実施例による携帯端末の表示画面を示す図である。図７において、本発明の他の実施例による表示画面５０にはペン型の器具５１にて目印（下線）５２を描画することが可能となっている。つまり、表示画面５０はタッチパネルで形成されている。
【００３５】
図８は本発明の他の実施例による携帯端末の構成を示すブロック図である。図８において、本発明の他の実施例の携帯端末５はポインティングデバイス部１８の代わりに、タッチパネル制御部５３を設けた以外は図２に示す本発明の一実施例と同様の構成となっており、同一構成要素には同一符号を付してある。また、同一構成要素の動作は本発明の一実施例と同様である。但し、表示部１６、つまり表示画面５０はタッチパネルとなっている。
【００３６】
尚、図８において、本発明の他の実施例によるＰｏＣシステムは、上記の図１に示す本発明の実施の形態によるＰｏＣシステムと同様の構成となっており、図８に示す携帯端末５は図１の携帯端末１−１〜１−３に該当する。
【００３７】
タッチパネル制御部５３は上記のペン型の器具５１にて表示画面５０に目印（下線）５２が描画されると、その表示画面５０上の目印（下線）５２をタッチパネル目印情報として入手する。
【００３８】
図９は本発明の他の実施例によるＰｏＣシステムの動作を示すフローチャートである。これら図７〜図９を参照して本発明の他の実施例によるＰｏＣシステムの動作について説明する。本発明の他の実施例においては、本発明の一実施例で用いられているポインタ情報をタッチパネル情報に変えた以外は、上述した本発明の一実施例によるＰｏＣシステムの動作と同様である。尚、図９に示す処理はＣＰＵ１１がＲＯＭ１２に格納されているプログラムを実行することで実現される。
【００３９】
最初に、携帯端末１−１は画像データを無線部１４から受信すると、その画像データを表示部１６に表示させる（図９ステップＳ２１）。続いて、携帯端末１−１はキー操作部１５のＰｕｓｈボタン１９が押下されると、マスタ側になる（図９ステップＳ２２）。
【００４０】
さらに、携帯端末１−１はタッチパネル制御部５３が入手したタッチパネル目印情報を表示部１６に表記させる（図９ステップＳ２３）。携帯端末１−１は上記のステップＳ２３で得られたタッチパネル情報を無線部１４からＰｏＣサーバ２へ送信する（図９ステップＳ２４）。
【００４１】
次に、ＰｏＣサーバ２はグループ内の他のユーザの携帯端末１−２，１−３に、携帯端末１−１からのタッチパネル情報を送付する（図９ステップＳ３１）。マスタ側である携帯端末１−１は、もしも、タッチパネル情報が変更した場合、上記のステップＳ２３，Ｓ２４の処理を繰り返し行う（図９ステップＳ２５）。
【００４２】
これによって、本実施例では、Ｐｕｓｈボタン１９をプッシュした人以外のグループ内の携帯端末１−２，１−３の所有者が、タッチパネル情報が付加された表示画面５０を見ることによって、マスタ側が、どこを説明しているのか、何を強調しているのか等、マスタ側の意思を容易に理解することができる。
【実施例３】
【００４３】
図１０は本発明の別の実施例による携帯端末の表示画面を示す図である。図１０において、本発明の別の実施例による表示画面６０では、マスタ側のユーザが発声した言葉６１（「Ａ・・・・」）に対応した行のフォントを変化させている。
【００４４】
図１１は本発明の別の実施例による携帯端末の構成を示すブロック図である。図１１において、本発明の別の実施例の携帯端末６はポインティングデバイス部１８の代わりに、表示制御部６２と音声認識部６３とを設けた以外は図２に示す本発明の一実施例と同様の構成となっており、同一構成要素には同一符号を付してある。また、同一構成要素の動作は本発明の一実施例と同様である。尚、図１１において、本発明の別の実施例によるＰｏＣシステムは、上記の図１に示す本発明の実施の形態によるＰｏＣシステムと同様の構成となっており、図１１に示す携帯端末６は図１の携帯端末１−１〜１−３に該当する。
【００４５】
表示制御部６２は表示画面６０に表示された一部の表示文字のフォント色を変化させ、音声認識部６３は音声部１７を通して入力される音声を文字情報に変換する。
【００４６】
図１２は本発明の別の実施例によるＰｏＣシステムの動作を示すフローチャートである。これら図１０〜図１２を参照して本発明の別の実施例によるＰｏＣシステムの動作について説明する。尚、図１２に示す処理はＣＰＵ１１がＲＯＭ１２に格納されているプログラムを実行することで実現される。
【００４７】
最初に、携帯端末１−１が画像データを無線部１４から受信し、表示部１６でその画像データを表示させる（図１２ステップＳ４１）。続いて、携帯端末１−１ではキー操作部１５のＰｕｓｈボタン１９が押下されると、マスタ側になる（図１２ステップＳ４２）。
【００４８】
次に、ユーザが音声を発声した際、携帯端末１−１は音声認識部６３でその音声を文字列情報に変換する（図１２ステップＳ４３）。携帯端末１−１は上記のステップＳ４３で得られた文字列情報が、表示画面６０の行毎に予め指定されたどの文字列と一致するかをＣＰＵ１１によって検索する（図１２ステップＳ４４）。
【００４９】
携帯端末１−１は上記のステップＳ４４でＣＰＵ１１によって検索された文字列の行のフォント色を、表示制御部６２によって変化させる（図１２ステップＳ４５）。携帯端末１−１は上記のステップＳ４５で得られたフォント色情報を無線部１４によってＰｏＣサーバ２へ送信する（図１２ステップＳ４６）。
【００５０】
ＰｏＣサーバ２はグループ内の他のユーザの携帯端末１−２，１−３にフォント色情報を送信する（図１２ステップＳ５１）。マスタ側である携帯端末１−１では、もしも検索される行が変化すると、上記のステップＳ４３〜Ｓ４６の処理を繰り返し行う（図１２ステップＳ４７）。
【００５１】
これによって、本実施例では、Ｐｕｓｈボタン１９をプッシュした人以外のグループ内の携帯端末１−２，１−３の所有者が、Ｐｕｓｈボタン１９をプッシュした人の言葉に対応した行のフォント色が変化することによって、マスタ側が、どこを説明しているのか、何を強調しているのか等、マスタ側の意思を容易に理解することができる。
【図面の簡単な説明】
【００５２】
【図１】本発明の実施の形態によるＰｏＣシステムの構成を示すブロック図である。
【図２】本発明の一実施例による携帯端末の構成を示すブロック図である。
【図３】（ａ），（ｂ）は図２の携帯端末の外観を示す図である。
【図４】図２の携帯端末の表示画面を示す図である。
【図５】図２の携帯端末の表示画面を示す図である。
【図６】本発明の一実施例によるＰｏＣシステムの動作を示すフローチャートである。
【図７】本発明の他の実施例による携帯端末の表示画面を示す図である。
【図８】本発明の他の実施例による携帯端末の構成を示すブロック図である。
【図９】本発明の他の実施例によるＰｏＣシステムの動作を示すフローチャートである。
【図１０】本発明の別の実施例による携帯端末の表示画面を示す図である。
【図１１】本発明の別の実施例による携帯端末の構成を示すブロック図である。
【図１２】本発明の別の実施例によるＰｏＣシステムの動作を示すフローチャートである。
【符号の説明】
【００５３】
１，５，６  携帯端末
１−１  携帯端末（ＭＳ＃１）
１−２  携帯端末（ＭＳ＃２）
１−３  携帯端末（ＭＳ＃３）
２  ＰｏＣサーバ
３  プレゼンスサーバ
４  ＧＬＭＳ
１１  ＣＰＵ
１２  ＲＯＭ
１３  ＲＡＭ
１４  無線部
１５  キー操作部
１６  表示部
１７  音声部
１８  ポインティングデバイス部
１９  Ｐｕｓｈボタン
２０  ニューロポインタボタン部
２１，５０，６０  表示画面
５１  ペン型の器具
５２  目印（下線）
５３  タッチパネル制御部
６１  言葉
６２  表示制御部
６３  音声認識部
【図１】
2006197041.tif 000003
【図２】
2006197041.tif 000004
【図３】
2006197041.tif 000005
【図４】
2006197041.tif 000006
【図５】
2006197041.tif 000007
【図６】
2006197041.tif 000008
【図７】
2006197041.tif 000009
【図８】
2006197041.tif 000010
【図９】
2006197041.tif 000011
【図１０】
2006197041.tif 000012
【図１１】
2006197041.tif 000013
【図１２】
2006197041.tif 000014